(57)【特許請求の範囲】
【請求項１】
電源ＯＮ、ＯＦＦのいずれにおいても点灯可能な表示ランプと、
記録対象のコンテンツを記録媒体に記録するコンテンツ記録手段と、
前記記録媒体に記録されているコンテンツが未視聴か否かを判断する未視聴判別手段と、
前記未視聴判別手段によって前記記録媒体に記録されているコンテンツに未視聴のコンテンツがあると判断されたときに、前記表示ランプを第１の周期で点滅させる第１の点滅手段と、
前記コンテンツ記録手段によって記録されたコンテンツが前記記録媒体に記録され始めたときからの経過期間をカウントする期間カウント手段と、
前記期間カウント手段が所定の期間カウントする間、前記表示ランプを第１の周期とは異なる第２の周期で点滅させる第２の点滅手段とを備え、
前記第１の点滅手段は、前記期間カウント手段が前記所定の期間をカウントし終えてから、前記表示ランプを前記第１の周期で点滅させることを特徴とする、コンテンツ記録再生装置。
【請求項２】
電源ＯＮ、ＯＦＦのいずれにおいても点灯可能なＬＥＤランプである表示ランプと、
記録対象のコンテンツを記録媒体に記録するコンテンツ記録手段と、
前記記録媒体に記録されているコンテンツが未視聴か否かを判断する未視聴判別手段と、
前記未視聴判別手段によって前記記録媒体に記録されているコンテンツに未視聴のコンテンツがあると判断されたときに、前記表示ランプを第１の周期で点滅させる第１の点滅手段と、
前記コンテンツ記録手段によって記録されたコンテンツが前記記録媒体に記録され始めたときからの経過期間をカウントする期間カウント手段と、
前記期間カウント手段によりカウントされた経過期間に応じて、前記表示ランプの色を変更する色変更手段とを備えたことを特徴とする、コンテンツ記録再生装置。
【請求項３】
前記未視聴判別手段によって前記記録媒体に記録されている全てのコンテンツが視聴済みであると判断されたときに、前記表示ランプを消灯する消灯手段をさらに備えたことを特徴とする、請求項１または２に記載のコンテンツ記録再生装置。
【請求項４】
前記第１の点滅手段が前記表示ランプを常時点灯させるものであることを特徴とする、請求項１〜３のいずれか１項に記載のコンテンツ記録再生装置。
【請求項５】
電源ＯＮ、ＯＦＦのいずれにおいても表示可能な表示部と、
記録対象のコンテンツを記録媒体に記録するコンテンツ記録手段と、
前記記録媒体に記録されているコンテンツが未視聴か否かを判断する未視聴判別手段と、
前記記録媒体に記録されたコンテンツの内で未視聴のコンテンツの数をカウントする未視聴コンテンツカウント手段と、
前記未視聴コンテンツカウント手段によりカウントされた未視聴のコンテンツの数を前記表示部に表示させる表示制御手段とを備えたことを特徴とする、コンテンツ記録再生装置。
【請求項６】
前記未視聴コンテンツカウント手段は、前記未視聴判別手段により前記記録媒体に新たに記録されたコンテンツが未視聴であると判断されたときには、未視聴のコンテンツの数を１加算し、前記未視聴判別手段により前記記録媒体に記録された未視聴のコンテンツが視聴済みになったと判断されたときには、未視聴のコンテンツの数を１減算することを特徴とする、請求項５に記載のコンテンツ記録再生装置。
【請求項７】
前記未視聴コンテンツカウント手段によってカウントされた未視聴のコンテンツの数に変動があった場合に、前記記録媒体の中から最新の未視聴のコンテンツを検索する最新未視聴コンテンツ検索手段をさらに備え、
前記表示制御手段は、前記最新未視聴コンテンツ検索手段で検索されたコンテンツのタイトル情報を前記表示部に表示させる、請求項５または６に記載のコンテンツ記録再生装置。 
【発明の詳細な説明】
【技術分野】
【０００１】
本発明は、コンテンツを記録および再生することが可能なコンテンツ記録再生装置に関する。
【背景技術】
【０００２】
従来から、映画、ニュース番組、ドラマ、スポーツ番組、音楽番組などのコンテンツが、テレビ放送やラジオ放送によって配信されている。また、上記したコンテンツは、ビデオカセットテープ、ＤＶＤ（Ｄｉｇｉｔａｌ  Ｖｅｒｓａｔｉｌｅ  Ｄｉｓｃ）、ＣＤ（Ｃｏｍｐａｃｔ  Ｄｉｓｃ）等の記録媒体でも配布されている。近年は、配信する放送形態も多様化し、流通する記録媒体の種類や容量も増加してきており、大容量のコンテンツも視聴者に届くようになってきている。さらに、昨今の情報処理機器及びネットワーク技術の進展により、ネットワークを介した通信によっても視聴者にコンテンツが配信されている。
【０００３】
テレビ放送やラジオ放送で代表される放送コンテンツは、放送時間に視聴者の都合でコンテンツを視聴できないこともあり、これを補償するために予約録音機能や予約録画機能を有する装置がある。さらに、デジタルテレビジョン放送では、放送予定の番組表に係るＥＰＧ（Ｅｌｅｃｔｒｏｎｉｃ  Ｐｒｏｇｒａｍ  Ｇｕｉｄｅ）情報を電子配信し、テレビ画面上に表示させて、電子番組表から録画したい番組をユーザが選択できるようにしている。また、ユーザがキーワードを入力することにより、電子番組表から検索された当該キーワードにヒットするコンテンツが自動で録画予約される機能を持つ記録再生装置も登場している。このような記録再生装置を用いる場合には、ユーザが意図しないコンテンツが録画されていることがある。そのため、ユーザは、記録再生装置を起動して未視聴のコンテンツの有無を確認する必要があった。
【０００４】
そこで、例えば、特許文献１には、機器起動時に記録再生装置と通信し、録画した番組情報を録画再生機器から受信することで、未視聴の番組情報をテレビ受像器などの画面に表示することが可能な映像表示機器が開示されている。
【０００５】
【特許文献１】特開２００２-１８５９０４号公報
【発明の開示】
【発明が解決しようとする課題】
【０００６】
しかしながら、上記特許文献１に記載の映像表示機器は、機器起動時に録画再生機器と通信することにより録画した番組情報を受信するため、機器を起動するまでは、未視聴のコンテンツの有無を確認することができないという問題点があった。また、機器が起動していてもテレビ受像器などのモニタの電源をＯＮにしなければ、未視聴のコンテンツの有無を確認することができないという問題点があった。
【０００７】
この発明は、上記のような課題を解決するためになされたものであり、未視聴のコンテンツの有無をコンテンツ記録再生装置やそのコンテンツ記録再生装置に接続されるモニタの電源を入れることなくユーザに知らせることが可能なコンテンツ記録再生装置を提供することを目的とする。
【課題を解決するための手段および発明の効果】
【０００８】
上記目的を達成するために、この発明のコンテンツ記録再生装置は、電源ＯＮ、ＯＦＦのいずれにおいても点灯可能な表示ランプと、記録対象のコンテンツを記録媒体に記録するコンテンツ記録手段と、記録媒体に記録されているコンテンツが未視聴か否かを判断する未視聴判別手段と、未視聴判別手段によって記録媒体に記録されているコンテンツに未視聴のコンテンツがあると判断されたときに、表示ランプを第１の周期で点滅させる第１の点滅手段とを備えている。なお、電源ＯＦＦとは、コンテンツ記録再生装置のコンセントが接続されただけの状態であって、装置の内部時計の動作やメモリに格納される情報を維持するスタンバイ状態を言う。この電源ＯＦＦ状態では、コンテンツ記録再生装置に係るアプリケーションは起動されておらず、リモコンの電源ボタンや装置本体の電源ボタンを押下することにより当該アプリケーションを起動することが可能な状態である。通常、録画や再生を行わない場合には、このような電源ＯＦＦ状態にされていることが多い。また、記録媒体にコンテンツが無い場合や、コンテンツがあっても全て視聴済みの場合には、未視聴ランプは、消灯又は第１の周期とは異なる周期で点滅している。
【０００９】
この発明によるコンテンツ記録再生装置では、上記のように、記録媒体に記録されているコンテンツに未視聴のコンテンツがあると判断されたときに、電源ＯＦＦで点灯可能な表示ランプを第１の周期で点滅させることができる。これにより、コンテンツ記録再生装置やそのコンテンツ記録再生装置に接続されるモニタの電源を入れることなく、未視聴のコンテンツの有無を表示ランプの点滅表示でユーザに知らせることができる。つまり、ユーザは、未視聴のコンテンツが残っているのか否かを確認するのに、コンテンツ記録再生装置の電源をＯＮにして起動する必要がない。そのため、ユーザは、未視聴のコンテンツが残っているのを容易に確認することができるので、所望のコンテンツの見忘れを抑制することができる。さらに、このコンテンツ記録再生装置では、未視聴のコンテンツの有無を確認するためだけに機器を起動する必要がなくなり、不要な電力消費の削減にも繋がる。なお、上記の表示ランプを第１の周期で点滅させるとは、常時点灯を含む概念であるとする。
【００１１】
また、上記コンテンツ記録再生装置は、コンテンツ記録手段によって記録されたコンテンツが記録媒体に記録され始めたときからの経過期間をカウントする期間カウント手段と、期間カウント手段が所定の期間カウントする間、表示ランプを第１の周期とは異なる第２の周期で点滅させる第２の点滅手段とをさらに備えている。そして、第１の点滅手段は、期間カウント手段が所定の期間をカウントし終えてから、表示ランプを第１の周期で点滅させる。このように構成すれば、記録媒体に記録されている未視聴のコンテンツが所定の期間視聴されずにそのままの状態になっている場合に、表示ランプの点灯の仕方を変化させることができる。その結果、ユーザは、表示ランプの点灯の仕方により、未視聴のコンテンツが視聴されずに長期間（所定の期間以上）残っていることなどをコンテンツ記録再生装置やそのコンテンツ記録再生装置に接続されるモニタの電源を入れることなく確認することができる。なお、表示ランプを第２の周期で点滅させるとは、上記した表示ランプを第１の周期で点滅させると同様に、常時点灯を含む概念であるとする。 
【００１２】
また、別の観点において、上記コンテンツ記録再生装置は、表示ランプはＬＥＤ（発光ダイオード）ランプである。そして、このコンテンツ記録再生装置は、コンテンツ記録手段によって記録されたコンテンツが記録媒体に記録され始めたときからの経過期間をカウントする期間カウント手段と、期間カウント手段によりカウントされた経過期間に応じて、表示ランプの色を変更する色変更手段とをさらに備えている。このように構成すれば、記録媒体に記録されている未視聴のコンテンツが所定の期間、視聴されずにそのままの状態になっている場合に、その期間に応じて、表示ランプの色を変化させることができる。その結果、ユーザは、表示ランプの色を確認することで、未視聴のコンテンツが視聴されずに長期間（所定の期間以上）残っていることなどをコンテンツ記録再生装置やそのコンテンツ記録再生装置に接続されるモニタの電源を入れることなく確認することができる。
上記コンテンツ記録再生装置において、好ましくは、未視聴判別手段によって記録媒体に記録されている全てのコンテンツが視聴済みであると判断されたときに、表示ランプを消灯する消灯手段をさらに備えている。このように構成すれば、ユーザは、表示ランプが消灯しているのを確認することで、未視聴のコンテンツが残っていないことを、コンテンツ記録再生装置やそのコンテンツ記録再生装置に接続されるモニタの電源を入れることなく確認することができる。
【００１３】
上記コンテンツ記録再生装置において、好ましくは、第１の点滅手段が表示ランプを常時点灯させるものである。このように構成すれば、未視聴のコンテンツが残っていることを表示ランプの常時点灯により確認させることができる。
【００１４】
この発明のコンテンツ記録再生装置は、電源ＯＮ、ＯＦＦのいずれにおいても表示可能な表示部と、記録対象のコンテンツを記録媒体に記録するコンテンツ記録手段と、記録媒体に記録されているコンテンツが未視聴か否かを判断する未視聴判別手段と、記録媒体に記録されたコンテンツの内で未視聴のコンテンツの数をカウントする未視聴コンテンツカウント手段と、未視聴コンテンツカウント手段によりカウントされた未視聴のコンテンツの数を表示部に表示させる表示制御手段とを備えている。
【００１５】
この発明によるコンテンツ記録再生装置では、上記のように、記録媒体に記録されているコンテンツに未視聴のコンテンツがあると判断されたときに、電源ＯＦＦで表示可能な表示部に未視聴のコンテンツの数を表示させることができる。これにより、コンテンツ記録再生装置やそのコンテンツ記録再生装置に接続されるモニタの電源を入れることなく、未視聴のコンテンツの数（未視聴のコンテンツが無い場合も含む）をユーザに知らせることができる。つまり、ユーザは、未視聴のコンテンツの有無やその数を確認するのに、コンテンツ記録再生装置の電源をＯＮにして起動する必要がない。そのため、ユーザは、未視聴のコンテンツの有無やその数を容易に確認することができるので、所望のコンテンツの見忘れを抑制することができる。さらに、このコンテンツ記録再生装置では、未視聴のコンテンツの有無やその数を確認するためだけに機器を起動する必要がなくなり、不要な電力消費の削減にも繋がる。
【００１６】
上記コンテンツ記録再生装置において、好ましくは、未視聴コンテンツカウント手段は、未視聴判別手段により記録媒体に新たに記録されたコンテンツが未視聴であると判断されたときには、未視聴のコンテンツの数を１加算し、未視聴判別手段により記録媒体に記録された未視聴のコンテンツが視聴済みになったと判断されたときには、未視聴のコンテンツの数を１減算する。このように構成すれば、記録媒体に記録される未視聴のコンテンツの数に変動が生じた場合でも、容易に、その変動した未視聴のコンテンツの数を表示部に反映させることができる。
【００１７】
この場合、好ましくは、未視聴コンテンツカウント手段によってカウントされた未視聴のコンテンツの数に変動があった場合に、記録媒体の中から最新の未視聴のコンテンツを検索する最新未視聴コンテンツ検索手段をさらに備えている。そして、表示制御手段は、最新未視聴コンテンツ検索手段で検索されたコンテンツのタイトル情報を表示部に表示させる。このように構成すれば、未視聴のコンテンツの数だけでなく、最新の未視聴のコンテンツのタイトル情報も表示部に表示させることができる。その結果、コンテンツ記録再生装置やそのコンテンツ記録再生装置に接続されるモニタの電源を入れることなく、どのようなコンテンツが最近記録されたのかを知ることが容易になる。
【発明を実施するための最良の形態】
【００１８】
以下、本発明を具体化した実施形態を図面に基づいて説明する。
【００１９】
（第１実施形態）
図１は、本発明の第１実施形態に係るコンテンツ記録再生装置の構成を示すブロック図である。図２は、図１に示した第１実施形態に係るコンテンツ記録再生装置の未視聴ランプの点滅・点灯・消灯表示の処理を説明するためのフローチャートである。
【００２０】
まず、図１を参照して、第１実施形態に係るコンテンツ記録再生装置１の構成について説明する。このコンテンツ記録再生装置１には、図１に示すように、記録指示受付部１１、コンテンツ記録予約部１２、コンテンツ記録部１３、未視聴判別部１４、期間カウント部１５と、ランプ制御部１６、記録媒体２１、および、未視聴ランプ２２が設けられている。このコンテンツ記録再生装置１は、ハードディスクレコーダ、ＤＶＤレコーダ、ハードディスク内蔵ＤＶＤレコーダ、ビデオレコーダなど種々の機器に好適に適用できる。さらに、コンテンツ記録再生装置１は、記録再生機能付きのテレビジョン受信機や、コンテンツ予約記録プログラムおよびビデオカード（ビデオアダプタとも言う）等のモジュールを備えたパーソナルコンピュータなどにも適用可能である。
【００２１】
ここで、本実施形態に係るコンテンツ記録再生装置１では、未視聴判断部１４、期間カウント部１５、ランプ制御部１６に必要最低限の電流（待機電流）を常時供給する一方で、それ以外の各部１１、１２、１３には、待機電流を供給しない電源ＯＦＦ状態（スタンバイ状態）とすることが可能である。そして、電源ＯＦＦ状態のコンテンツ記録再生装置１では、待機電流を用いて、未視聴ランプ２２を点灯および点滅させることが可能である。この電源ＯＦＦ状態では、起動時（電源ＯＮ状態時）に供給されていた記録指示受付部１１、コンテンツ記録予約部１２やコンテンツ記録部１３に対するクロック信号の供給を停止することにより、コンテンツ記録再生装置１で消費される電力を抑制している。そして、この電源ＯＦＦ状態では、リモコンによる赤外線通信を監視したり、録画予約された録画開始時間になったときに自動的に装置を起動させたりすることが可能で、リモコンや装置の電源ボタンを押下することにより、コンテンツ記録再生装置１を起動することが可能である。
【００２２】
記録指示受付部１１は、ユーザの操作によるコンテンツの録画予約指示を受け付けるために設けられている。この記録指示受付部１１は、例えば、コンテンツ記録再生装置１の本体やリモートコントローラ（リモコン）に設けられた予約記録ボタン等の押下や、ＯＳＤ（Ｏｎ  Ｓｃｒｅｅｎ  Ｄｉｓｐｌａｙ）等を利用した選択入力などによって、録画予約指示を受け付けることができるように構成されている。また、記録指示受付部１１では、記録対象のコンテンツの録画開始時間、録画終了時間、チャンネル等をそれぞれユーザが個別に指定する録画予約だけでなく、Ｇコードや電子番組表等を利用した録画予約指示も受け付けることが可能である。また、第１実施形態のコンテンツ記録再生装置１では、ＥＰＧを利用すれば、ユーザがキーワードを入力することにより、ＥＰＧから検索された当該キーワードにヒットするコンテンツを自動で抽出することが可能であり、記録指示受付部１１は、抽出されたコンテンツの録画予約を受け付けることが可能である。
【００２３】
コンテンツ記録予約部１２は、記録指示受付部１１で受け付けた録画予約指示を記憶する機能を有している。このコンテンツ記録予約部１２は、録画予約を複数記憶することが可能であり、後述するコンテンツ記録部１３による録画処理が実行される毎に、その録画処理に係る録画予約が削除される。
【００２４】
コンテンツ記録部１３は、コンテンツ記録予約部１２に記憶された録画予約に基づいて、録画処理を実行し、記録対象のコンテンツを記録媒体２１に記録する。具体的には、コンテンツ記録部１３は、録画予約に基づいて、録画開始時間が来たときに、図示しないチューナなどで受信される放送局からのコンテンツの記録を開始し、録画終了時間が来たときに、記録を終了する。このコンテンツ記録部１３は、記録対象のコンテンツのフォーマットや記録媒体２１の記録フォーマット等によって実際の記録回路の構成や制御などが異なるのが通常であるが、記録対象のコンテンツを録画予約に基づき記録媒体２１に記録することが可能であればよい。例えば、記録媒体２１がＤＶＤの場合には、コンテンツ記録部１３は、光ピックアップとこれを制御する記録制御部とを有している。また、記録媒体２１がハードディスクの場合には、磁気ヘッドとこれを制御する記録制御部とを有している。
【００２５】
未視聴判別部１４は、記録媒体２１に記録されたコンテンツが視聴されたか否かを判別する機能を有している。この未視聴判別部１４による判断方法では、記録媒体２１に記録されている未視聴のコンテンツが再生された場合に、視聴済みであると判断され、再生されていない場合に、未視聴であると判断される。つまり、記録媒体２１の未視聴のコンテンツに対して、リモコンや本体に設けられる再生ボタンが、当該コンテンツがユーザに選択された状態で、押下された場合に、視聴済みであると判断される。また、未視聴判別部１４は、電源ＯＦＦ状態でクロック信号が供給されて待機電流が流れることで、コンテンツ記録再生装置１がスタンバイ状態（電源ＯＦＦ状態）でも、記録媒体２１に記録されたコンテンツが視聴されたか否かを判別することが可能である。
【００２６】
期間カウント部１５は、コンテンツ記録部１３により記録媒体２１にコンテンツが記録され始めたときからの経過時間をカウントする機能を有している。例えば、録画開始時間が「５月１１日  １９：００」である録画予約をコンテンツ記録予約部１２が記録している場合には、コンテンツ記録部１３が「５月１１日  １９：００」から所定のコンテンツを記録媒体２１に記録し始めるので、期間カウント部１５は、当該コンテンツについては、「５月１１日  １９：００」からの経過時間をカウントする。また、期間カウント部１５も、上記した未視聴判別部１４と同様に、電源ＯＦＦ状態でクロック信号が供給されて待機電流が流れることで、コンテンツ記録再生装置１がスタンバイ状態でも、経過時間をカウントすることが可能である。
【００２７】
また、本実施形態では、ランプ制御部１６は、未視聴判別部１４で判別された結果に基づいて、未視聴ランプ２２の点灯、消灯および点滅の表示を決定する機能を有している。具体的には、ランプ制御部１６は、未視聴判別部１４により記録媒体２１に記録されているコンテンツに未視聴のコンテンツがあると判断された場合には、未視聴ランプ２２を点滅させる。そして、その未視聴のコンテンツが所定の期間再生されていない場合には、ランプ制御部１６は、点滅している未視聴ランプ２２を常時点灯に切り替える。未視聴のコンテンツが所定の期間再生されているか否かは、上記した期間カウント部１５がカウントした期間に基づいて、ランプ制御部１６が判断する。また、ランプ制御部１６は、未視聴判別部１４により記録媒体２１に記録されているコンテンツに未視聴のコンテンツが無いと判断された場合には、未視聴ランプ２２を消灯させる。なお、ランプ制御部１６にも、電源ＯＦＦ状態でクロック信号が供給されて待機電流が流れることで、コンテンツ記録再生装置１がスタンバイ状態（電源ＯＦＦ状態）で、未視聴ランプ２２の点灯、消灯および点滅を制御することが可能である。
【００２８】
記録媒体２１は、ハードディスク装置などの大容量記録装置からなり、複数のコンテンツを記録可能に構成されている。
【００２９】
未視聴ランプ２２は、ユーザが視認可能な位置に取り付けられている。この未視聴ランプ２２は、ランプ制御部１６に制御され、点灯、点滅および消灯のいずれかの状態を取り得る。この第１実施形態では、未視聴ランプ２２は、コンテンツ記録再生装置１が電源ＯＦＦ状態（スタンバイ状態）でも、クロック信号が供給されて待機電流が流れることで、点灯や点滅のみならず、期間カウント部１５やランプ制御部１６の動作により、点滅および点灯の相互切り替えも行うことができる。つまり、本実施形態に係る未視聴ランプ２２は、電源ＯＮ状態の場合のみならず、電源ＯＦＦ状態の場合にも、点灯、点滅および消灯のいずれかの状態を取り得る。
【００３０】
次に、図２を参照して、未視聴のコンテンツの有無を示す未視聴ランプ２２の点滅・点灯・消灯表示の処理について詳細に説明する。以下に説明する処理は、本実施形態に係るコンテンツ記録再生装置１が電源ＯＦＦ状態（スタンバイ状態）で行われる。
【００３１】
まず、ＤＶＤやビデオテープなどによって提供される記録コンテンツや放送局から受信した放送コンテンツなどがコンテンツ記録部１３により記録媒体２１に記録されたか否かが判断される（ステップＳ１１）。そして、ステップＳ１１において、記録媒体２１に新たにコンテンツが記録されたと判断された場合には、未視聴ランプ２２が消灯中か否かが判断される（ステップＳ１４）。この際、期間カウント部１５は、コンテンツが記録媒体２１に記録され始めた時点からの経過時間をカウントしている。そして、未視聴ランプ２２が消灯中でない場合（未視聴ランプ２２が点灯もしくは点滅している場合）には、上記したステップＳ１１の判断が繰り返される。これに対して、ステップＳ１４において、未視聴ランプ２２が消灯中である場合には、ランプ制御部１６により、未視聴ランプ２２が点滅するように制御される（ステップＳ１５）。
【００３２】
また、ステップＳ１１の判断で、記録媒体２１にコンテンツが記録されていないと判断された場合には、記録媒体２１に記録されているコンテンツが再生されたか否かが判断される（ステップＳ１２）。具体的には、記録媒体２１に記録されているコンテンツに対して、コンテンツ記録再生装置１やその装置１を操作するリモコンに設けられる再生ボタンが押下されたか否かが判断される。そして、ステップＳ１２において、記録媒体２１に記録されたコンテンツが再生された場合には、未視聴判別部１４により記録媒体２１に未視聴のコンテンツが残っているか否かが判断される（ステップＳ１３）。これに対して、ステップＳ１２において、記録媒体２１に記録されているコンテンツが再生されていない場合（再生ボタンが押下されていない場合）には、処理をステップＳ１１に戻す。
【００３３】
ステップＳ１３において、未視聴判別部１４により記録媒体２１に未視聴のコンテンツが残っていると判断された場合には、上記したステップＳ１４の処理において、未視聴ランプ２２が消灯中か否かが判断されて、未視聴ランプ２２が消灯中の場合には未視聴ランプ２２が点滅し、未視聴ランプ２２が消灯中でない、つまり点滅中又は点灯中の場合にはステップＳ１１の処理に戻る。これに対して、ステップＳ１３において、未視聴判別部１４により記録媒体２１に未視聴のコンテンツが残っていない（記録媒体２１に記録されている全てのコンテンツが視聴済みである）と判断された場合には、ランプ制御部１６により、未視聴ランプ２２が消灯するように制御される（ステップＳ１６）。この後、上記したステップＳ１１の判断が繰り返される。
【００３４】
ステップＳ１５において、ランプ制御部１６により、未視聴ランプ２２が点滅するように制御された場合には、期間カウント部１５がカウントした期間と予めユーザが設定した所定期間との比較が行われ、期間カウント部１５がカウントした期間が前記所定期間より経過しているか否かが判断される（ステップＳ１７）。そして、ステップＳ１７において、未視聴のコンテンツが記録媒体２１に記録され始めてから前記所定期間経過した場合には、ランプ制御部１６により、未視聴ランプ２２が点滅表示から点灯表示になるように切り替えられる（ステップＳ１８）。この後、上記したステップＳ１１の判断が繰り返される。
【００３５】
これに対して、ステップＳ１７において、未視聴のコンテンツが記録媒体２１に記録され始めてから前記所定期間経過していない場合には、上記したステップＳ１２と同様に、記録媒体２１に記録されたコンテンツが再生されたか否かが判断される（ステップＳ１９）。そして、ステップＳ１９において、記録媒体２１に記録されたコンテンツが再生された場合には、上記したステップＳ１３と同様に、未視聴判別部１４により記録媒体２１に未視聴のコンテンツが残っているか否かが判断される（ステップＳ２０）。そして、記録媒体２１に記録されているコンテンツの再生がなされない場合や記録媒体２１に未視聴のコンテンツが残っている場合には、再びステップＳ１７の処理が繰り返される。これに対して、ステップＳ２０において、記録媒体２１に未視聴のコンテンツが残っていないと判断された場合には、ランプ制御部１６により、未視聴ランプ２２が消灯するように制御され（ステップＳ１６）た後、ステップＳ１１の処理が繰り返される。このようにして、未視聴ランプ２２がランプ制御部１６の制御により点灯、点滅および消灯し、ユーザは、コンテンツ記録再生装置１を起動させずに、未視聴ランプ２２の表示状態を確認することが可能となる。
【００３６】
第１実施形態では、上記のように、記録媒体２１に記録されているコンテンツに未視聴のコンテンツがあると判断されたときに、電源ＯＦＦで点灯可能な未視聴ランプ２２を点滅させることができる。これにより、コンテンツ記録再生装置１やそのコンテンツ記録再生装置１に接続されるモニタの電源を入れることなく、未視聴のコンテンツが残っていることを未視聴ランプ２２の点滅表示でユーザに知らせることができる。また、未視聴のコンテンツが残っていないことも未視聴ランプ２２の消灯によって確認することができる。つまり、ユーザは、未視聴のコンテンツが残っているのかどうかを確認するのに、コンテンツ記録再生装置１の電源をＯＮにして起動する必要がない。そのため、ユーザは、未視聴のコンテンツが残っているのを容易に確認することができるので、所望のコンテンツの見忘れを抑制することができる。さらに、このコンテンツ記録再生装置１では、未視聴のコンテンツの有無を確認するためだけに機器を起動する必要がなくなり、不要な電力消費の削減にも繋がる。
【００３７】
また、第１実施形態では、期間カウント部１５によってカウントされたコンテンツが記録媒体に記録され始めたときからの経過期間が所定期間より経過したときに、未視聴ランプ２２を常時点灯させることによって、記録媒体２１に記録されている未視聴のコンテンツが所定期間視聴されずにそのままの状態になっているのを、コンテンツ記録再生装置やそのコンテンツ記録再生装置に接続されるモニタの電源を入れることなく、ユーザに確認させることができる。
【００３８】
（第２実施形態）
図３は、本発明の第２実施形態に係るコンテンツ記録再生装置の構成を示すブロック図である。図４は、図３に示した第２実施形態に係るコンテンツ記録再生装置のＬＥＤランプのカラー表示の処理を説明するためのフローチャートである。なお、この第２実施形態では、第１実施形態の点滅・点灯・消灯する未視聴ランプを備えたコンテンツ記録再生装置１と異なり、流れる電流の違いにより赤又は青の２色のカラー表示をするＬＥＤランプ１２２を備えたコンテンツ記録再生装置１００について説明する。
【００３９】
第２実施形態に係るコンテンツ記録再生装置１００には、図３に示すように、記録指示受付部１１、コンテンツ記録予約部１２、コンテンツ記録部１３、未視聴判別部１４、期間カウント部１５と、ＬＥＤカラー制御部１１６、記録媒体２１、および、ＬＥＤランプ１２２が設けられている。ＬＥＤカラー制御部１１６およびＬＥＤランプ１２２以外の各部は、上記した第１実施形態と同様であるので、その説明を省略する。
【００４０】
本実施形態では、ＬＥＤカラー制御部１１６は、未視聴判別部１４で判別された結果に基づいて、ＬＥＤランプ１２２のカラー表示を決定する機能を有している。具体的には、ＬＥＤカラー制御部１１６は、ＬＥＤランプ１２２に印加される電圧を制御することにより、ＬＥＤランプ１２２を赤色または青色に表示させる。また、ＬＥＤカラー制御部１１６は、ＬＥＤに電圧が加わらないように制御することにより、ＬＥＤランプ１２２を消灯させる機能も有する。そして、ＬＥＤカラー制御部１１６は、未視聴判別部１４により記録媒体２１に記録されているコンテンツに未視聴のコンテンツがあると判断された場合には、ＬＥＤランプ２２を赤色に表示させる。そして、その未視聴のコンテンツが所定の期間再生されていない場合には、赤色に表示されているＬＥＤランプ１２２を青色に切り替える。また、ＬＥＤカラー制御部１１６は、未視聴判別部１４により記録媒体２１に記録されているコンテンツに未視聴のコンテンツが無いと判断された場合には、ＬＥＤランプ１２２を消灯させる。なお、ＬＥＤカラー制御部１１６は、電源ＯＦＦ状態でクロック信号が供給されて待機電流が流れることで、コンテンツ記録再生装置１００がスタンバイ状態（電源ＯＦＦ状態）で、ＬＥＤランプ１２２のカラー点灯および消灯を制御することが可能である。
【００４１】
ＬＥＤランプ１２２は、ユーザが視認可能な位置に取り付けられている。このＬＥＤランプ１２２は、ＬＥＤカラー制御部１１６に制御され、赤色および青色に点灯または消灯する。この第２実施形態では、ＬＥＤランプ１２２は、コンテンツ記録再生装置１００が電源ＯＦＦ状態（スタンバイ状態）でも、点灯するように構成されている。つまり、本実施形態に係るＬＥＤランプ１２２は、電源ＯＮ状態の場合のみならず、電源ＯＦＦ状態の場合にも、赤色および青色に点灯または消灯する。
【００４２】
次に、図４を参照して、未視聴のコンテンツの有無を示すＬＥＤランプ１２２のカラー点灯および消灯表示の処理について詳細に説明する。以下に説明する処理は、本実施形態に係るコンテンツ記録再生装置１００が電源ＯＦＦ（スタンバイ状態）の状態で行われる。
【００４３】
第１実施形態と同様に、ステップＳ１１〜ステップＳ１４の処理が行われた後、ＬＥＤランプ１２２が消灯中である場合には、ＬＥＤカラー制御部１１６により、ＬＥＤランプ１２２が点灯するように制御される（ステップＳ１１５）。そして、ステップＳ１１５において、ＬＥＤカラー制御部１１６により、ＬＥＤランプ１２２が赤色に点灯するように制御された場合には、期間カウント部１５がカウントした期間と予めユーザが設定した所定期間との比較が行われ、期間カウント部１５がカウントした期間が前記所定期間より経過しているか否かが判断される（ステップＳ１７）。そして、ステップＳ１７において、未視聴のコンテンツが記録媒体２１に記録され始めてから前記所定期間経過した場合には、ＬＥＤカラー制御部１１６により、ＬＥＤランプ１２２が赤色表示から青色表示になるように切り替えられる（ステップＳ１１８）。
【００４４】
また、ステップＳ１３またはステップＳ２０において、記録媒体２１に未視聴のコンテンツが残っていないと判断された場合には、ＬＥＤカラー制御部１１６により、ＬＥＤランプ１２２が消灯するように制御される（ステップＳ１１６）。このようにして、ＬＥＤランプ１２２がＬＥＤカラー制御部１１６の制御によりカラー点灯および消灯し、ユーザは、コンテンツ記録再生装置１００を起動させずに、ＬＥＤランプ１２２のカラー表示状態を確認することが可能となる。
【００４５】
第２実施形態では、上記のように、印加する電圧の違いにより２色のカラー表示をするＬＥＤランプ１２２と、そのＬＥＤランプ１２２を制御するＬＥＤカラー制御部１１６とを設けることによって、コンテンツ記録再生装置１００やそのコンテンツ記録再生装置１００に接続されるモニタの電源を入れることなく、未視聴のコンテンツが残っていることをＬＥＤランプ１２２の赤色および青色の点灯表示でユーザに知らせることができる。また、未視聴のコンテンツが残っていないこともＬＥＤランプ１２２の消灯によって確認することができる。さらに、一定期間以上再生されずに残っている未視聴のコンテンツも青色の点灯表示によりユーザに知らせることができる。
【００４６】
（第３実施形態）
図５は、本発明の第３実施形態に係るコンテンツ記録再生装置の構成を示すブロック図である。図６は、図５に示した第３実施形態に係るコンテンツ記録再生装置の表示部の表示動作を説明するためのフローチャートである。なお、この第３実施形態では、上記第１実施形態の未視聴ランプ２２を備えたコンテンツ記録再生装置１や第２実施形態のＬＥＤランプ１２２を備えたコンテンツ記録再生装置１００と異なり、最新の未視聴のコンテンツのタイトル情報および未視聴のコンテンツの数を表示することが可能な表示部を備えたコンテンツ記録再生装置２００について説明する。
【００４７】
第３実施形態に係るコンテンツ記録再生装置２００には、図５に示すように、記録指示受付部１１、コンテンツ記録予約部１２、コンテンツ記録部１３、未視聴判別部１４、未視聴コンテンツカウント部２１５、最新未視聴コンテンツ検索部２１６、表示制御部２１７、記録媒体２１および表示部２２２が設けられている。未視聴コンテンツカウント部２１５、最新未視聴コンテンツ検索部２１６、表示制御部２１７および表示部２２２以外の各部は、上記した第１実施形態および第２実施形態と同様であるので、その説明を省略する。
【００４８】
未視聴コンテンツカウント部２１５は、未視聴判別部１４で判別された結果に基づいて、未視聴のコンテンツの数をカウントする機能を有している。この未視聴コンテンツカウント部２１５は、コンテンツ記録部１３による記録処理が行われたことによって新規に未視聴のコンテンツが記録媒体２１に記録された場合には、カウントした未視聴のコンテンツ数を１加算し、未視聴のコンテンツが再生された場合には、カウントした未視聴のコンテンツ数を１減算する。また、未視聴コンテンツカウント部２１５は、電源ＯＦＦ状態でクロック信号が供給されて待機電流が流れることで、コンテンツ記録再生装置２００がスタンバイ状態（電源ＯＦＦ状態）でも、未視聴のコンテンツをカウントすることが可能である。
【００４９】
最新未視聴コンテンツ検索部２１６は、記録媒体２１に記録されている未視聴のコンテンツの中で最新のコンテンツを検索するように構成されている。そして、最新未視聴コンテンツ検索部２１６は、未視聴コンテンツカウント部２１５がカウントする未視聴のコンテンツの数に変動が生じた場合に検索を行う。最新未視聴コンテンツ検索部２１６によるコンテンツの検索は、コンテンツが記録された録画開始時間や録画終了時間を元に行われる。そして、最新未視聴コンテンツ検索部２１６によって検索された情報は、タイトル、記録開始時間、録画終了時間、録画時間などのいずれか若しくは全てを含むコンテンツ情報である。また、最新未視聴コンテンツ検索部２１６は、電源ＯＦＦ状態でクロック信号が供給されて待機電流が流れることで、コンテンツ記録再生装置２００がスタンバイ状態（電源ＯＦＦ状態）でも、最新のコンテンツを検索することが可能である。
【００５０】
本実施形態では、表示制御部２１７は、未視聴コンテンツカウント部２１５によりカウントされた未視聴のコンテンツの数および最新未視聴コンテンツ検索部２１６により検索されたコンテンツのコンテンツ情報を後述する表示部２２２に表示させる機能を有している。なお、表示制御部２１７は、電源ＯＦＦ状態でクロック信号が供給されて待機電流が流れることで、コンテンツ記録再生装置２００がスタンバイ状態（電源ＯＦＦ状態）で、表示部２２２の表示動作を制御することが可能である。
【００５１】
表示部２２２は、未視聴コンテンツカウント部２１５でカウントされた未視聴のコンテンツの数および最新未視聴コンテンツ検索部２１６で検索されたコンテンツ情報を表示可能に構成されている。この第３実施形態では、表示部２２２は、コンテンツ記録再生装置２００が電源ＯＦＦ状態（スタンバイ状態）でも、クロック信号が供給されて待機電流が流れることで、未視聴のコンテンツの数やコンテンツ情報のテキスト情報を表示することが可能なように構成されている。つまり、本実施形態に係る表示部２２２は、電源ＯＮ状態の場合のみならず、電源ＯＦＦ状態の場合にも、コンテンツ情報を表示することが可能である。
【００５２】
次に、図６を参照して、コンテンツ記録再生装置１００の表示部２２２の表示動作を詳細に説明する。以下に説明する処理は、本実施形態に係るコンテンツ記録再生装置２００が電源ＯＦＦ状態（スタンバイ状態）で行われる。
【００５３】
まず、ＤＶＤやビデオテープなどによって提供される記録コンテンツや放送局から受信した放送コンテンツなどがコンテンツ記録部１３により記録媒体２１に記録されたか否かが判断される（ステップＳ２１１）。そして、ステップＳ２１１において、記録媒体２１に新たにコンテンツが記録されたと判断された場合には、未視聴コンテンツカウント部２１５は、未視聴のコンテンツの数を１加算する（ステップＳ２１３）。これに対して、ステップＳ２１１において、記録媒体２１にコンテンツが記録されていないと判断された場合には、未視聴のコンテンツが再生されたか否かが判断される（ステップＳ２１２）。具体的には、未視聴のコンテンツに対して、コンテンツ記録再生装置２００やその装置２００を操作するリモコンに設けられる再生ボタンが押下されたか否かが判断される。
【００５４】
そして、ステップＳ２１２において、記録媒体２１に記憶される未視聴のコンテンツが再生された場合には、未視聴コンテンツカウント部２１５は、未視聴のコンテンツの数を１減算する（ステップＳ２１３）。これに対して、ステップＳ２１２において、記録媒体２１に記憶される未視聴のコンテンツが再生されない場合や、視聴済みのコンテンツが再生された場合には、処理をステップＳ２１１に戻す。
【００５５】
ステップＳ２１３において、未視聴のコンテンツの数をカウントした後、未視聴判別部１４により記録媒体２１に未視聴のコンテンツが残っているか否かが判断される（ステップＳ２１４）。そして、ステップＳ２１４において、記録媒体２１に未視聴のコンテンツが残っていないと判断された場合には、表示制御部２１７は、表示部２２２に件数０を表示させる（ステップＳ２１５）。これに対して、ステップＳ２１４において、記録媒体２１に未視聴のコンテンツが残っていると判断された場合には、最新未視聴コンテンツ検索部２１６により未視聴コンテンツの中で最新のコンテンツが検索される（ステップＳ２１６）。その後、表示制御部２１７は、ステップＳ２１３でカウントされた未視聴のコンテンツの数およびステップＳ２１５で検索された最新のコンテンツのコンテンツ情報を表示部２２２に表示させる（ステップＳ２１６）。このようにして、表示部２２２に未視聴のコンテンツの数や最新のコンテンツ情報が表示されるので、ユーザは、コンテンツ記録再生装置２００を起動させずに、未視聴のコンテンツの数やコンテンツ情報を確認することが可能となる。
【００５６】
第３実施形態では、上記のように、記録媒体２１に記録されているコンテンツに未視聴のコンテンツがあると判断されたときに、電源ＯＦＦで表示可能な表示部２２２に未視聴のコンテンツの数および最新のコンテンツ情報を表示させることができる。これにより、コンテンツ記録再生装置２００やそのコンテンツ記録再生装置２００に接続されるモニタの電源を入れることなく、未視聴のコンテンツの数（未視聴のコンテンツが無い場合も含む）や最新のコンテンツ情報をユーザに知らせることができる。つまり、ユーザは、未視聴のコンテンツの有無やその数並びに最新の未視聴のコンテンツの情報を確認するのに、コンテンツ記録再生装置２００の電源をＯＮにして起動する必要がない。そのため、ユーザは、未視聴のコンテンツに関する種々の情報を容易に確認することができるので、所望のコンテンツの見忘れを抑制することができる。さらに、このコンテンツ記録再生装置２００では、未視聴のコンテンツに関する種々の情報を確認するためだけに機器を起動する必要がなくなり、不要な電力消費の削減にも繋がる。
【００５７】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００５８】
例えば、上記第１実施形態では、未視聴のコンテンツが記録媒体に残っている場合、未視聴ランプが点滅し、その未視聴のコンテンツが一定期間経過しても再生されていない場合に、未視聴ランプが常時点灯する例について説明したが、本発明はこれに限らず、未視聴のコンテンツが記録媒体に残っている場合と、そのコンテンツが再生されずに一定期間残っている場合とで、点滅の周期が異なるようにすれば同様の効果が得られる。例えば、未視聴のコンテンツが記録媒体に残っていない場合に、点灯や点滅表示をさせても良い。つまり、未視聴のコンテンツが記録媒体に残っている場合と、そのコンテンツが再生されずに一定期間残っている場合と、未視聴のコンテンツが記録媒体に残っていない場合とで、ユーザが区別できるように未視聴ランプの点灯の仕方を変化させれば良い。
【００６０】
また、上記第２実施形態では、赤色表示と青色表示するＬＥＤランプを用いる例について説明したが、本発明はこれに限らず、赤色や青色以外に発光するＬＥＤランプを用いても良い。
【００６１】
また、上記第３実施形態では、未視聴のコンテンツの数と、最新の未視聴コンテンツ情報との両方を表示する場合の説明がなされたが、本発明はこれに限らず、未視聴のコンテンツの数のみを表示する構成でも良い。また、第１実施形態によるコンテンツ記録再生装置の未視聴ランプや第２実施形態のＬＥＤランプと組み合わせた構成であっても良い。
【図面の簡単な説明】
【００６２】
【図１】本発明の第１実施形態に係るコンテンツ記録再生装置の構成を示すブロック図である。
【図２】図１に示した第１実施形態に係るコンテンツ記録再生装置の未視聴ランプの点滅・点灯・消灯表示の処理を説明するためのフローチャートである。
【図３】本発明の第２実施形態に係るコンテンツ記録再生装置の構成を示すブロック図である。
【図４】図３に示した第２実施形態に係るコンテンツ記録再生装置のＬＥＤランプのカラー表示の処理を説明するためのフローチャートである。
【図５】本発明の第３実施形態に係るコンテンツ記録再生装置の構成を示すブロック図である。
【図６】図５に示した第３実施形態に係るコンテンツ記録再生装置の表示部の表示動作を説明するためのフローチャートである。
【符号の説明】
【００６３】
１、１００、２００  コンテンツ記録再生装置
１３  コンテンツ記録部（コンテンツ記録手段）
１４  未視聴判別部（未視聴判別手段）
１５  期間カウント部（期間カウント手段）
１６  ランプ制御部（第１の点滅手段、第２の点滅手段、消灯手段）
２１  記録媒体
２２  未視聴ランプ（表示ランプ）
１１６  ＬＥＤカラー制御部（色変更手段）
１２２  ＬＥＤランプ（表示ランプ）
２１５  未視聴コンテンツカウント部（未視聴コンテンツカウント手段）
２１６  最新未視聴コンテンツ検索部（最新未視聴コンテンツ検索手段）
２１７  表示制御部（表示制御手段）
２２２  表示部
【図１】
0004593519.tif 000002
【図２】
0004593519.tif 000003
【図３】
0004593519.tif 000004
【図４】
0004593519.tif 000005
【図５】
0004593519.tif 000006
【図６】
0004593519.tif 000007